(57)【要約】【課題】占める水平面積が比較的小さく、倒れにくく、収納が容易である直立ケースを提供する。【解決手段】直立ケース１０は、第一蓋体２０および第二蓋体３０を備える。第一蓋体２０は、頂面２１および頂面２１から下かつ内側に伸びるように形成された第一側面２２、２３、２４、２５を有する。第二蓋体３０は、底面３１および底面３１から上かつ内側に伸びるように形成された第二側面３２、３３、３４、３５を有する。第一蓋体２０の第一側面２２、２３、２４、２５および第二蓋体３０の第二側面３２、３３、３４、３５は相互に接続されるため、直立ケース１０は相互に接続される二つの側面を下向きにして直立状態を維持することができる。これにより、直立ケース１０は、占める水平面積が比較的小さく、非常に安定して倒れにくく、収納が容易である。【選択図】図１
0003171053.tif 000002
【実用新案登録請求の範囲】
【請求項１】
頂面および前記頂面から下かつ内側に伸びるように形成される第一側面を有する第一蓋体と、
底面および前記底面から上かつ内側に伸びるように形成される第二側面を有する第二蓋体と、
を備え、
前記第一蓋体の第一側面および前記第二蓋体の第二側面は相互に接続されることを特徴とする直立ケース。
【請求項２】
前記第一蓋体は、前記第一側面から伸びて形成されるロックユニットを有し、
前記第二蓋体は、前記第二側面に凹状に形成される嵌合溝を有し、
前記ロックユニットが前記嵌合溝に嵌合するとき、前記ロックユニットの表面は前記第二蓋体の第二側面と同じ平面を形成することを特徴とする請求項１に記載の直立ケース。
【請求項３】
前記第一蓋体は、前記第一側面から外側に突出して前記頂面および前記底面に平行して延長されるように形成される複数の第一線状突起部を有し、
前記第二蓋体は、前記第二側面から外側に突出して前記頂面および前記底面に平行して延長されるように形成される複数の第二線状突起部を有することを特徴とする請求項１または請求項２に記載の直立ケース。
【考案の詳細な説明】
【技術分野】
【０００１】
本考案は、直立ケースに関し、詳しくは収納が容易な直立ケースに関するものである。
【背景技術】
【０００２】
従来の直立ケースは、形が相互に対応する第一蓋体および第二蓋体を備える。第一蓋体および第二蓋体は相互に閉じられ、工具を格納する空間を構成する。第一蓋体の複数の側面と第二蓋体の複数の側面とは相互に接続される。それぞれの側面は接続箇所から上向きまたは下向きかつ内側に傾く。つまり直立ケースが閉じるとき、側部は突出状を呈するため、直立ケースは側部を下向きにして直立状態を維持することができない。かつ直立ケースは、側部が平面状であっても、安定的に直立することができず、倒れやすい。従って、直立ケースを置く時には通常面積の比較的大きい底面を下向きにする。直立ケースを使用しない時には邪魔にならないように直立ケースを棚または引き出しにしまうことになる。
【考案の概要】
【考案が解決しようとする課題】
【０００３】
しかしながら、地面、デスク、棚または引き出し内に直立ケースを置く場合、従来の直立ケースは相当な水平面積を占めるため、改善の余地がある。
本考案は、上述の欠点に鑑み、占める水平面積が比較的小さく、倒れにくいだけでなく収納が容易である直立ケースを提供することを目的とする。
【課題を解決するための手段】
【０００４】
上述の目的を達成するために、本考案による直立ケースは、第一蓋体および第二蓋体を備える。第一蓋体は、頂面および頂面から下かつ内側に伸びるように形成された第一側面を有する。第二蓋体は、底面および底面から上かつ内側に伸びるように形成された第二側面を有する。第一蓋体の第一側面および第二蓋体の第二側面は相互に接続されるため、直立ケースは相互に接続される二つの側面を下向きにして直立状態を維持することができる。このとき直立ケースは占める水平面積が比較的小さく、非常に安定して倒れにくいため、収納が容易である。
【図面の簡単な説明】
【０００５】
【図１】本考案の第一実施形態による直立ケースを示す斜視図である。
【図２】本考案の第一実施形態による直立ケースの直立状態（その一）を示す斜視図である。
【図３】本考案の第一実施形態による直立ケースの直立状態（その一）を示す側面図である。
【図４】本考案の第一実施形態による直立ケースの直立状態（その二）を示す側面図である。
【図５】本考案の第二実施形態による直立ケースの直立状態を示す側面図である。
【考案を実施するための形態】
【０００６】
以下、本考案による直立ケースを図面に基づいて説明する。
（第一実施形態）
図に示すように、本考案の第一実施形態による直立ケース１０は、第一蓋体２０および第二蓋体３０を備える。第一蓋体２０および第二蓋体３０は相互に閉じられ、工具を格納する空間を構成する。
【０００７】
第一蓋体２０は、頂面２１および四つの第一側面２２、２３、２４、２５を有する。第二蓋体３０は、底面３１および四つの第二側面３２、３３、３４、３５を有する。直立ケース１０は、さらに第一蓋体２０の第一側面２２と第二蓋体３０の第二側面３２との間に湾曲できるように一体に連結された連結部４０を備える。連結部４０は直立ケース１０の開閉に用いられる。
【０００８】
直立ケース１０が底面３１を下向きにするように閉じるとき、第一蓋体２０の第一側面２３、２４、２５は、頂面２１から下方の第一蓋体２０と第二蓋体３０との接続箇所かつ内側に傾いて伸びる。第二蓋体３０の第二側面３３、３４、３５は、底面３１から上方の第一蓋体２０と第二蓋体３０との接続箇所かつ内側に傾いて伸びる。第一側面２３、２４、２５と第二側面３３、３４、３５とは相互に接続される。第一蓋体２０はさらに第一側面２３、２４、２５から外側に突出して形成された複数の第一線状突起部２６を有する。第二蓋体３０はさらに第二側面３３、３４、３５から外側に突出して形成された複数の第二線状突起部３６を有する。第一線状突起部２６および第二線状突起部３６は、頂面２１および底面３１に平行して延長される。
【０００９】
閉じた直立ケース１０は、第一側面２３と第二側面３３、第一側面２４と第二側面３４、および第一側面２５と第二側面３５から形成された三つの側部１３、１４、１５を有する。側部１３、１４、１５は凹状を呈する。図２および図３に示すように、直立ケース１０は、側部１５が下向くように表面Ｇに直立する。このとき側部１５が逆Ｖ字型の支持構造となるため、直立ケース１０は非常に安定し、直立することができるだけでなく、占める表面Ｇの面積が非常に小さい。同様に直立ケース１０は、側部１３が下向くように表面Ｇに直立するとき、上述した効果を有する。
【００１０】
第一蓋体２０は、さらに第一側面２４から伸びて形成された二つのロックユニット２７を有する。第二蓋体３０は、さらに第二側面３４が陥没して形成した二つの嵌合溝３７を有する。二つのロックユニット２７は、それぞれ二つの嵌合溝３７に嵌合され、直立ケース１０を閉じる状態に維持する。またロックユニット２７は、表面２７２が第二蓋体３０の第二側面３４と同じ平面を形成する。そのため、直立ケース１０は、図４に示すように側部１４が下向くように表面Ｇに安定して直立することができる。
【００１１】
（第二実施形態）
本考案は、ロックユニット２７および嵌合溝３７の数が限定されず、図５に示すように、一組のロックユニット２７および嵌合溝３７のみを配置することができる。
【００１２】
上述した通り、直立ケース１０が使用されず収納されるとき、直立ケース１０は安定して直立状態を維持することができる。また直立ケース１０は地面またはデスクに据えられるか、棚または引き出しに収納されるとき、占める水平面積が非常に小さい。また本考案による直立ケース１０は、外形がハードカバー本のように見えるため、図２および図３に示した直立状態を呈し、本棚に納めることができるだけでなく、空間を節約し、美観を呈することができる。
【００１３】
以上、本考案は、上記実施形態になんら限定されるものではなく、考案の趣旨を逸脱しない範囲において種々の形態で実施可能である。
【符号の説明】
【００１４】
１０  ：直立ケース、
１３、１４、１５：側部、
２０  ：第一蓋体、
２１  ：頂面、
２２、２３、２４、２５：第一側面、
２６  ：第一線状突起部、
２７  ：ロックユニット、
２７２：表面、
３０  ：第二蓋体、
３１  ：底面、
３２、３３、３４、３５：第二側面、
３６  ：第二線状突起部、
３７  ：嵌合溝、
４０  ：連結部、
Ｇ    ：表面。
【図１】
0003171053.tif 000003
【図２】
0003171053.tif 000004
【図３】
0003171053.tif 000005
【図４】
0003171053.tif 000006
【図５】
0003171053.tif 000007